(57)【要約】      （修正有）【課題】選局ボタンに放送チャンネルを割り当てているような場合でも、新たな放送チャンネルの自動割当を行うことのできるデジタル放送受信装置を提供する。【解決手段】放送局の系列を表わす系列ＩＤが含まれる地上デジタルの放送信号と、衛星放送などの放送信号とを受信可能なデジタル放送受信装置において、選局ボタンに衛星放送の放送チャンネルを割り当てた場合に選局ボタンの設定情報に架空の系列ＩＤを記憶させるチャンネル手動割当手段と、チャンネル設定情報に含まれる系列ＩＤとチャンネルスキャン動作により見つけられた放送チャンネルの系列ＩＤとに基づき、前回割り当てられていた放送チャンネルと同一の系列ＩＤを有する放送チャンネルを同一の選局ボタンに優先的に割り当てる。【選択図】図３
2006197313.tif 000002
【特許請求の範囲】
【請求項１】
放送局の系列を表わす系列識別情報が含まれる第１系統の放送信号と、該第１系統の放送信号とは別の第２系統の放送信号とを受信可能なデジタル放送受信装置において、
１２個の選局番号に従って外部からの操作により受信する放送チャンネルの選択指令を装置に与える選局操作手段と、
前記１２個の選局番号の各々に対応させてこれらの選局番号に割り当てられている放送チャンネルを受信するための情報および該放送チャンネルの前記系列識別情報を記憶するチャンネル設定記憶手段と、
外部からの操作により前記１２個の選局番号に受信可能な放送チャンネルを任意に割り当てることを可能とするチャンネル手動割当手段と、
放送信号の受信チャンネルをずらしながら受信可能な前記第１系統の放送チャンネルを自動的に見つけていくとともに、見つけられた放送チャンネルを前記複数の選局番号に自動的に割り当てていくチャンネルスキャン手段と、
を備え、
前記チャンネル手動割当手段は、
前記選局番号に前記第２系統の放送チャンネルを割り当てることが可能であるとともに、前記選局番号の何れかに前記第２系統の放送チャンネルが割り当てられた場合に、前記チャンネル設定記憶手段の当該選局番号に対応する系列識別情報として架空の系列識別情報を記憶させるように構成され、
前記チャンネルスキャン手段は、
前記チャンネル設定記憶手段に記憶された系列識別情報と、チャンネルスキャン動作により見つけられた放送チャンネルの系列識別情報とに基づき、前回割り当てられていた放送チャンネルと同一の系列識別情報を有する放送チャンネルを同一の選局番号に優先的に割り当てる系列優先割当機能を有するとともに、
この系列優先割当機能は、
チャンネルスキャン動作前に前記チャンネル設定記憶手段に記憶されていた系列識別情報と今回のチャンネルスキャン動作で見つかった新たな放送チャンネルの系列識別情報とを比較する第１ステップと、
この第１ステップの結果、系列識別情報が同一の放送チャンネルがあった場合に、この放送チャンネルを当該系列識別情報が記憶されていた選局番号に割り当てる第２ステップと、
放送信号に含まれている推奨の選局番号を示す推奨番号情報に基づいて、未だ放送チャンネルが割り当てられていない選局番号の中に推奨の選局番号があれば当該放送信号の放送チャンネルを割り当てる第３ステップと、
第３ステップで割り当てられていない放送チャンネルを未だ割り当てのない残余の選局番号に割り当てる第４ステップと、
を実行するように構成されていることを特徴とするデジタル放送受信装置。
【請求項２】
放送局の系列を表わす系列識別情報が含まれる第１系統の放送信号と、該第１系統の放送信号とは別の第２系統の放送信号とを受信可能なデジタル放送受信装置において、
予め定められた複数の選局番号に従って外部からの操作により受信する放送チャンネルの選択指令を装置に与える選局操作手段と、
前記複数の選局番号の各々に対応させてこれらの選局番号に割り当てられている放送チャンネルを受信するための情報および該放送チャンネルの前記系列識別情報を記憶するチャンネル設定記憶手段と、
外部からの操作により前記複数の選局番号に受信可能な放送チャンネルを任意に割り当てることを可能とするチャンネル手動割当手段と、
放送信号の受信チャンネルをずらしながら受信可能な前記第１系統の放送チャンネルを自動的に見つけていくとともに、見つけられた放送チャンネルを前記複数の選局番号に自動的に割り当てていくチャンネルスキャン手段と、
を備え、
前記チャンネルスキャン手段は、
前記チャンネル設定記憶手段に記憶された系列識別情報と、チャンネルスキャン動作により見つけられた放送チャンネルの系列識別情報とに基づき、前回割り当てられていた放送チャンネルと同一の系列識別情報を有する放送チャンネルを同一の選局番号に優先的に割り当てる系列優先割当機能を有していることを特徴とするデジタル放送受信装置。
【請求項３】
前記チャンネル手動割当手段は、
前記選局番号に前記第２系統の放送チャンネルを割り当てることが可能であるとともに、前記選局番号の何れかに前記第２系統の放送チャンネルが割り当てられた場合に、前記チャンネル設定記憶手段の当該選局番号に対応する系列識別情報として架空の系列識別情報を記憶させるように構成されていることを特徴とする請求項２記載のデジタル放送受信装置。
【請求項４】
前記系列優先割当機能は、
チャンネルスキャン動作前に前記チャンネル設定記憶手段に記憶されていた系列識別情報と今回のチャンネルスキャン動作で見つかった新たな放送チャンネルの系列識別情報とを比較する第１ステップと、
この第１ステップの結果、系列識別情報が同一の放送チャンネルがあった場合に、この放送チャンネルを当該系列識別情報が記憶されていた選局番号に割り当てる第２ステップと、
を実行するように構成されていることを特徴とする請求項２又は３に記載のデジタル放送受信装置。
【請求項５】
前記チャンネル手動割当手段は、前記複数の選局番号に前記第２系統の放送チャンネルを割り当てることが可能であり、
前記系列優先割当機能は、
前記チャンネル設定記憶手段に記憶されている放送チャンネルの情報が、第１系統の放送チャンネルを示すもので、且つ、系列識別情報が今回のチャンネルスキャンで見つかった全ての放送チャンネルの系列識別情報と異なる場合に、この放送チャンネルの割り当て情報を消去するチャンネル割当消去処理と、
前記２ステップの後に未だ選局番号に割り当てられていない受信可能な放送チャンネルを、未だ放送チャンネルの割り当てのない選局番号に割り当てていく残余割当処理と、
を実行するように構成されていることを特徴とする請求項４記載のデジタル放送受信装置。
【請求項６】
前記残余割当処理は、
放送信号に含まれている推奨の選局番号を示す推奨番号情報に基づいて、未だ放送チャンネルが割り当てられていない選局番号の中に推奨の選局番号があれば当該放送信号の放送チャンネルを割り当てる第３ステップと、
第３ステップで割り当てられていない放送チャンネルを未だ割り当てのない残余の選局番号に割り当てる第４ステップと、
を有することを特徴とする請求項５記載のデジタル放送受信装置。
【発明の詳細な説明】
【技術分野】
【０００１】
この発明は、例えば地上デジタル、デジタル又はアナログの衛生放送、ケーブルテレビなどの放送信号を受信するデジタル放送受信装置に関する。
【背景技術】
【０００２】
近年、地上波のテレビ放送においてアナログ放送からデジタル放送への移行が進められている。デジタル放送はアナログ放送に比べて一定の伝送帯域幅で多くの情報を送信できるため、テレビ放送の多チャンネル化、並びに、データ放送や双方向サービスなど放送様式や放送サービスの多様化が見込まれている。
【０００３】
また、デジタル放送では、放送信号に例えば放送局を識別する情報や放送系列を識別する情報など多種多様な制御データを送信することが可能であり、それにより、受信装置側でユーザの利便性を向上するような多様な制御処理を行うことが可能になっている。
【０００４】
例えば、車載テレビに搭載される地上デジタル受信装置において、移動により放送地域が変わって視聴番組の放送チャンネルが変わった場合でも、自動で放送チャンネルの切替処理を行って、ユーザに放送地域の変更を意識させることなく同一番組の視聴を続けられるようにしたチャンネル制御機能などが提案されている。
【０００５】
本発明者らは、このようなデジタル放送の特徴を利用して、例えば受信地域を変更したときなどに便利なチャンネルスキャン機能を提供できないか検討した。
【０００６】
従来、アナログテレビチューナにおけるチャンネルスキャンに関する技術として特許文献１〜４に開示の発明があった。これらの技術はともに受信地域が変更された場合でも、放送チャンネルの選局を元の地域に居たときと同様の感覚で行えるようにしたものである。
【特許文献１】特開２００４−１７９８２３号公報
【特許文献２】特開平１０−１４５６９０号公報
【特許文献３】特開平１１−３３１７１７号公報
【特許文献４】特開２０００−３１２１５７号公報
【発明の開示】
【発明が解決しようとする課題】
【０００７】
しかしながら、上記特許文献１〜４の技術では、共に受信装置のメモリ内に予め全放送地域の放送局の情報や各放送局の系列情報などを記憶させておく必要があるという課題があった。これらの情報は放送地域が変更されない場合、或いは１度や２度の変更がされる程度の場合、大部分が一度も使用されることのない情報となるため、メモリ容量を無駄に消費することとなって不経済である。また、放送局の情報等は予め記憶されたものなので、放送局の編成に変更があった場合などに対応できないという問題もあった。
【０００８】
さらに、上記従来の技術では、チャンネルスキャンの際に何らかの手段により現在の受信地域を指定しなければならないという課題もあった。
【０００９】
ところで、近年、衛星放送など地上波放送以外のテレビ放送が多く普及されている。このようななか、地上波のテレビ放送と衛星放送など放送方式の異なる異方式のテレビ放送をともに受信可能とする受信装置では、例えば、リモートコントローラ（以下リモコンと云う）の１チャンネルから１２チャンネルの選局ボタンの中に方式の異なる放送チャンネルを混在させて操作可能なように設定されることが想定される。
【００１０】
しかしながら、このように異方式の放送チャンネルを混在させて選局ボタンに割り当てた場合、異方式の放送チャンネルの間で何らかの調整を行わないと、チャンネルスキャンを行ったときなどに、例えばチャンネルスキャンの対象となった放送方式の放送チャンネルだけが選局ボタンに割り当てられ、異方式の放送チャンネルは無視されて上書きされてしまうと云ったことが予想される。
【００１１】
この発明の目的は、各放送地域の放送局の情報や現在の受信地域の指定などを必要とせず、例えば受信地域を変更したような場合でも、変更前と変更後とで各選局ボタンに同様の放送局が割り当てられるようなチャンネルスキャン機能を有したデジタル放送受信装置を提供することにある。
【００１２】
この発明のその他の目的は、地上デジタルと衛生放送など異方式の放送チャンネルを混在させて選局ボタンに割り当てている場合でも、この混在した選挙ボタンの割り当てを阻害することなくチャンネルスキャンによる新たな放送チャンネルの自動割当を行うことのできるチャンネルスキャン機能を有したデジタル放送受信装置を提供することにある。
【課題を解決するための手段】
【００１３】
本発明は、上記目的を達成するため、放送局の系列を表わす系列識別情報が含まれる第１系統の放送信号と、該第１系統の放送信号とは別の第２系統の放送信号とを受信可能なデジタル放送受信装置において、予め定められた複数の選局番号（例えば１ｃｈ〜１２ｃｈ）に従って外部からの操作により受信する放送チャンネルの選択指令を装置に与える選局操作手段と、前記複数の選局番号の各々に対応させてこれらの選局番号に割り当てられている放送チャンネルを受信するための情報および該放送チャンネルの前記系列識別情報を記憶するチャンネル設定記憶手段と、外部からの操作により前記複数の選局番号に受信可能な放送チャンネルを任意に割り当てることを可能とするチャンネル手動割当手段と、放送信号の受信チャンネルをずらしながら受信可能な前記第１系統の放送チャンネルを自動的に見つけていくとともに、見つけられた放送チャンネルを前記複数の選局番号に自動的に割り当てていくチャンネルスキャン手段とを備え、前記チャンネルスキャン手段は、前記チャンネル設定記憶手段に記憶された系列識別情報と、チャンネルスキャン動作により見つけられた放送チャンネルの系列識別情報とに基づき、前回割り当てられていた放送チャンネルと同一の系列識別情報を有する放送チャンネルを同一の選局番号に優先的に割り当てる系列優先割当機能を有している構成とした。
【００１４】
このような手段によれば、上記の系列優先割当機能により、ユーザはチャンネルスキャン前に選局番号に割り当てられていた放送局と同系列の放送局が同じ選局番号に優先的に割り当てられるので、例えば引越しなどでテレビの受信地域を変更した場合でも、ユーザは受信地域の変更前と同様の感覚で選局操作が行えるように、自動で選局番号の割り当てを行うことが出来る。
【００１５】
また、この系列優先割当機能を有するチャンネルスキャン機能は、受信地域の変更がないときでも、例えば、放送チャンネルが新設された場合や、以前、選局番号に割り当てていなかった放送チャンネルを改めて選局番号に割り当てたい場合などに用いても便利である。すなわち、系列優先割当機能により、ユーザが手動で好みの選局番号に好みの放送チャンネルの割り当てを行っていた場合でも、この割り当てを変更することなく、新たな放送チャンネルを空いている選局番号に割り当てると云った処理が可能である。
【００１６】
望ましくは、前記チャンネル手動割当手段は、前記選局番号に前記第２系統の放送チャンネルを割り当てることが可能であるとともに、前記選局番号の何れかに前記第２系統の放送チャンネルが割り当てられた場合に、前記チャンネル設定記憶手段の当該選局番号に対応する系列識別情報として架空の系列識別情報（例えば系列識別情報として「０〜７」までが規定され「８〜２５５」までが禁止されている場合に「２５５」など）を記憶させるように構成すると良い。
【００１７】
このような構成によれば、系列識別情報が付加されている第１系統（例えば地上デジタル）の放送チャンネルと、そのような情報の付加されていない第２系統（例えば衛星放送）の放送チャンネルとを混在させて選局番号に割り当てている場合でも、第２系統の放送チャンネルに対しては架空の系列識別情報が付加されるので、系列識別情報を利用した選局番号の割り当て処理を第１系統と第２系統との放送チャンネルをほぼ同等に扱って実行することが出来る。例えば、系列識別情報を用いた規定処理があった場合に、そのような処理を第２系統の放送チャンネルを混在させた状態のまま実行することが出来る。
【００１８】
具体的には、前記系列優先割当機能は、チャンネルスキャン動作前に前記チャンネル設定記憶手段に記憶されていた系列識別情報と今回のチャンネルスキャン動作で見つかった新たな放送チャンネルの系列識別情報とを比較する第１ステップと、この第１ステップの結果、系列識別情報が同一の放送チャンネルがあった場合に、この放送チャンネルを当該系列識別情報が記憶されていた選局番号に割り当てる第２ステップとを実行するようにして実現することが出来る。
【００１９】
また望ましくは、前記系列優先割当機能は、前記チャンネル設定記憶手段に記憶されている放送チャンネルの情報が、第１系統の放送チャンネルを示すもので、且つ、系列識別情報が今回のチャンネルスキャンで見つかった全ての放送チャンネルの系列識別情報と異なる場合に、この放送チャンネルの割り当て情報を消去するチャンネル割当消去処理と、前記２ステップの後に未だ選局番号に割り当てられていない受信可能な放送チャンネルを、未だ放送チャンネルの割り当てのない選局番号に割り当てていく残余割当処理とを実行するように構成すると良い。
【００２０】
このような構成により、新たなチャンネルスキャンで以前の割り当てと同系列の放送チャンネルが見つからなかった選局番号について、新たな放送チャンネルの割り当てを行うことが出来る。また、その際、第２系統の放送チャンネルが割り当てられている選局番号については、上書き変更されずにそのままの設定が維持されるようにすることが出来る。
【００２１】
具体的には、前記残余割当処理は、放送信号に含まれている推奨の選局番号を示す推奨番号情報に基づいて、未だ放送チャンネルが割り当てられていない選局番号の中に推奨の選局番号があれば当該放送信号の放送チャンネルを割り当てる第３ステップと、第３ステップで割り当てられていない放送チャンネルを未だ割り当てのない残余の選局番号に割り当てる第４ステップとを有するように構成することが出来る。
【００２２】
このような構成により、以前の割り当てと無関係の選局番号および放送チャンネルについては、その地域に則した割り当てを行うことが出来る。
【発明の効果】
【００２３】
以上説明したように、本発明に従うと、例えばユーザが引越しなどをしてテレビ放送の受信地域が変更された場合でも、系列優先割当機能を有したチャンネルスキャン手段により、以前の割り当てと同系列の放送チャンネルが同じ選局番号に優先的に割り当てられるようにして、放送地域の変更前と同様の感覚でチャンネルの選局操作が行えるようにすることが出来るという効果がある。
【００２４】
また、地上デジタルと衛生放送など異方式の放送チャンネルを混在させて選局ボタンに割り当てている場合でも、この混在した選挙ボタンの割り当てを阻害することなくチャンネルスキャンによる新たな放送チャンネルの自動割当を行うことが出来るという効果がある。
【発明を実施するための最良の形態】
【００２５】
以下、本発明の実施の形態を図面に基づいて説明する。
【００２６】
図１は、本発明の実施の形態のデジタル放送受信装置の全体構成を示すブロック図である。
【００２７】
この実施の形態のデジタル放送受信装置１は、第１系統の放送信号として地上デジタルのテレビ放送と、第２系統の放送信号としてＢＳ（放送衛星）放送とを受信して外部のディスプレー等に映像信号や音声信号を出力する装置である。
【００２８】
このデジタル放送受信装置１は、例えばアンテナＡＮ１に接続され地上デジタルの放送信号を選択的に受信する地上デジタルチューナ１０と、地上デジタルの放送信号を復調する地上デジタル復調部１１と、例えばアンテナＡＮ２に接続されＢＳ放送の放送信号を選択的に受信するＢＳチューナ１２と、ＢＳ放送の放送信号を復調するＢＳ復調部１３と、復調されたストリーム信号から映像データ、音響データ、番組情報や文字情報や制御データなどを含む付加情報をデコードするＴＳ（Transport Stream）デコーダ１４と、映像データを復号して映像信号を出力するビデオデコーダ１５と、音響データを復号して音声信号を出力するオーディオデコーダ１６と、装置の全体的な制御を行うマイクロコントローラ２０と、マイクロコントローラ２０に作業用のメモリ空間を提供するＲＡＭ（Random Access Memory）２１と、制御プログラムや制御データが格納される不揮発性メモリ２２と、複数の操作ボタンやリモコン受光部２３ａが設けられ外部からの指示操作を受け付ける操作パネル２３と、複数の操作ボタンが設けられ外部からの指示操作を受け付けるリモコン２４等から構成される。なお、ＲＡＭ２１や不揮発性メモリ２２はマイクロコントローラ２０と一体的に集積された構成としても良い。
【００２９】
地上デジタルの放送信号には、制御データとして様々な情報が含まれており、その中には、放送局名など放送局を識別する情報、放送局の系列が表わされた系列ＩＤ（"affiliation_id"と記述される）、１ｃｈ〜１２ｃｈの選局番号のうち放送局により割り当て用として推奨され選局番号を示すリモコンキーＩＤ（"remote_control_key_id"と記述される）などがある。そして、これらのデータはＴＳデコーダ１５においてデコードされてマイクロコントローラ２０へ送られるようになっている。
【００３０】
系列ＩＤは、次の表１に示されるように０〜７の値に各放送局の系列が対応づけられ、８〜２５５の値は放送局の系列が対応づけられていない禁止値となっている。
【００３１】
【表１】
2006197313.tif 000003
【００３２】
このデジタル放送受信装置１において放送チャンネルの選局の方法は二通りある。一つ目は、操作パネル２３やリモコン２４を介して、先ず、例えば地上デジタル又はＢＳと云った放送方式の指定を行い、次に、放送信号伝送波の周波数等を示す３桁のチャンネル番号（例えば０００〜９９９）を指定する方法である。この方法により、マイクロコントローラ２０が指定された放送方式の情報に応じて地上デジタルチューナ１０又はＢＳチューナ１２を駆動させ、且つ指定の受信チャンネルにチューニング動作させて、指定の放送チャンネルを選局することが出来る。
【００３３】
二つ目は、予め任意の放送チャンネルが割り当てられている１ｃｈ〜１２ｃｈまでの選局番号を、操作パネル２３やリモコン２４を介して入力する方法である。
【００３４】
図２には、不揮発性メモリ２２に格納され選局番号と放送チャンネルの割当関係が記憶される選局割当テーブルを示す。
【００３５】
不揮発性メモリ２２には、図２に示すような１ｃｈ〜１２ｃｈの各選局番号への放送チャンネルの割当関係が示される選局割当テーブル（チャンネル設定記憶手段）が格納されている。選局割当テーブルには、選局番号ごとに、割り当てられた放送チャンネルの放送局名の情報、放送方式の情報および受信チャンネルの周波数等を示す３桁のチャンネル番号など放送信号を受信するために必要なチャンネル情報、上記放送信号の制御データとして含まれる放送局の系列を示す系列ＩＤ、その他、種々のデータが格納されるようになっている。
【００３６】
また、この選局割当テーブルにおいて、ＢＳ放送の放送チャンネルが割り当てられている選局番号の系列ＩＤの項目には、系列ＩＤとして禁止されている或いは系列の割り当てられていない架空の番号（例えば２５５）が付加されるようになっている。
【００３７】
上記のリモコン２４には、選局番号を１回の操作でダイレクトに選択するための１２個（１ｃｈ〜１２ｃｈ）のワンタッチボタンが設けられており、これらの何れかをオン操作することで、選局番号の指定を行うことが出来るようになっている。その他、操作パネルのチャンネル上下キーや、リモコンのチャンネル上下ボタンにより、１チャンネルずつ選局番号を移行させて所望の選局番号を指定することも可能になっている。これらにより選局操作手段が構成されている。
【００３８】
マイクロコントローラ２０は、ユーザにより操作パネル２３やリモコン２４を介して選局番号が指定された場合に、上記の選局割当テーブルからこの選局番号に割り当てられたチャンネル情報を読み出し、このチャンネル情報に応じて地上デジタルチューナ１０又はＢＳチューナ１２を駆動させるとともに、指定の受信チャンネルにチューニング動作させて、指定の選局番号に割り当てられた放送チャンネルを選局するようになっている。
【００３９】
以下、１ｃｈ〜１２ｃｈの選局番号へ放送チャンネルを割り当てる方法について説明する。
【００４０】
選局番号への放送チャンネルの割り当ては、一般的なチャンネルスキャン機能（初期スキャンや再スキャンなど）により自動で行ったり、ユーザがマニュアル操作で行ったり、系列優先割当機能を有するチャンネルスキャン手段としてのマイスキャン機能により自動で行ったりすることが出来る。
【００４１】
一般的なチャンネルスキャン機能は、地上デジタルの放送チャンネルのみについて、次のように行われるものである。すなわち、例えば、リモコン操作により、メニュー表示を出して「初期スキャン」或いは「再スキャン」の項目を選択することで開始され、マイクロコントローラ２０の指令により地上デジタルチューナ１０が全てのチャンネルを順次選局し、受信できるチャンネルが検出された場合に、これらの放送信号に含まれるリモコンキーＩＤに基づいて１ｃｈ〜１２ｃｈの選局番号への割り当てが行われるものである。「初期スキャン」の場合には、選局番号への割り当てが全て更新され、「再スキャン」の場合には、地上デジタルの割り当てがされていないワンタッチボタンへの割り当てのみが更新される。そして、割り当てられた放送チャンネルの情報が、図２の選局割当テーブルに格納される。
【００４２】
マニュアル操作での割り当ては、例えば、リモコン操作により、メニュー表示等から「ワンタッチボタンのマニュアル設定」の項目を選択することで開始され、それに続いて、ユーザが、設定する選局番号（１ｃｈ〜１２ｃｈ）と、この選局番号に割り当てる放送チャンネルの放送方式および３桁のチャンネル番号とを指定することで行われる。このような機能によりチャンネル手動割当手段が構成される。設定変更された放送チャンネルの情報は、図２の選局割当テーブルに反映される。このマニュアル操作による放送チャンネルの割当方法では、選局番号に地上デジタルの放送チャンネルとＢＳ放送の放送チャンネルとを混在させて割り当てることが可能である。
【００４３】
これらの地上デジタルの初期スキャンや再スキャンの処理、並びに、マニュアル操作による選局番号への割り当て処理については公知の技術であるので詳細は省略する。
【００４４】
マイスキャン機能は、例えば、引越しなどでユーザの受信地域が変更された場合に行うと便利なものである。マイスキャン機能を実行すると、例えば、受信地域の変更に関係のないＢＳ放送の放送チャンネルが割り当てられている選局番号については何ら変更されず、受信地域の変更が影響してくる地上デジタルの放送チャンネルが割り当てられている選局番号については、以前に割り当てられた放送チャンネルと同系列の放送チャンネルがあればその放送チャンネルが同一の選局番号に割り当てられ、無ければその地域に則した放送チャンネルが割り当てられるようになっている。
【００４５】
次に、このマイスキャン機能について図３のフローチャートに基づいて詳細に説明する。
【００４６】
図３は、マイクロコントローラ２０により実行されるマイスキャン処理の手順を示したフローチャートである。図４と図５には、このマイスキャン処理の中で作成されるリモコンキーＩＤリストと系列局リストとをそれぞれ示す。
【００４７】
マイスキャン処理は、例えば、ユーザがリモコン２４を操作してメニュー表示を出力させ、メニュー表示の中から「マイスキャン」の項を選択することで開始される。この処理が開始されると、先ず、ステップＳ１において、地上デジタルチューナ１０に全てのチャンネルを順次選局させるチャンネルスキャン動作を実行させ、受信可能な放送信号が検出されたらその放送信号に含まれる制御データの読み込みを行う。
【００４８】
次いで、ステップＳ２において、ステップＳ１で読み込んだ制御データから図４に示すリモコンキーＩＤリストと図５に示す系列局リストとをＲＡＭ２１に作成する。
【００４９】
リモコンキーＩＤリストは、チャンネルスキャン動作により受信可能として検出された放送チャンネルと、その放送信号に含まれるリモコンキーＩＤ（放送局に推奨された選局番号）とを対応づけたもの、系列局リストは、チャンネルスキャン動作により受信可能として検出された放送チャンネルと、その放送信号に含まれる系列ＩＤとを対応づけたものである。
【００５０】
これらのリストが作成されたら、次に、ステップＳ３〜ステップＳ１０において、選局番号を変数「ｉ」として「ｉ＝１」から「ｉ＝１２」まで繰り返し処理を行う。すなわち、先ず、ステップＳ３で変数「ｉ」に「１」を代入してステップＳ４に移行し、ステップＳ４で選局割当テーブル（図２）の選局番号「ｉ」のデータを読み出して地上デジタルの放送チャンネルが割り当てられているか判定する。
【００５１】
その結果、地上デジタルの放送チャンネルが割り当てられていれば、ステップＳ５に移行するが、地上デジタルの放送チャンネルが割り当てられていなければ、次の選局番号について処理を行うためステップＳ９に移行して、該ステップで変数「ｉ」を「１」加算し、続くステップＳ１０で変数「ｉ」が１２を超えてないか判定する。
【００５２】
ステップＳ５に移行したら、同系列の放送チャンネルが同じ選局番号に割り当てられるように、選局割当テーブルの選局番号「ｉ」の系列ＩＤと、ステップＳ２で作成した系列局リストの系列ＩＤとを比較して、系列局リストの中で同じ系列ＩＤの放送チャンネルがないか検索する。そして、続くステップＳ６で同じ系列ＩＤの放送チャンネルの有無を判定する。
【００５３】
その結果、同じ系列ＩＤの放送チャンネルがあれば、ステップＳ７に移行して、選局割当テーブル（図２）の選局番号「ｉ」のデータを、この同じ系列ＩＤの放送チャンネルの情報で上書きし、且つ、リモコンキーＩＤリストからこの放送チャンネルのデータを削除する。一方、同じ系列ＩＤの放送チャンネルがなければ、ステップＳ８に移行して、選局割当テーブルの選局番号「ｉ」のデータを削除する。そして、次の選局番号について処理を行うためステップＳ９で変数「ｉ」に「１」を加算して、続くステップＳ１０で変数「ｉ」が１２を超えてないか判定する。
【００５４】
そして、ステップＳ１０の分岐処理で、変数「ｉ」が「１２」を超えるまでステップＳ４に処理ステップを戻すことで、１ｃｈ〜１２ｃｈの選局番号のそれぞれについてステップＳ４からステップＳ８までの処理が実行される。そして、これらの処理が完了したら、ステップＳ１１に移行される。
【００５５】
つまり、これらステップＳ４〜Ｓ１０の繰り返し処理により、図２の選局割当テーブルにおいて元々ＢＳ放送の放送チャンネルが割り当てられていた選局番号と、何も放送チャンネルの割り当てがない選局番号についてはそのままにされ、一方、地上デジタルの放送チャンネルが割り当てられていた選局番号については、同系列の放送チャンネルがチャンネルスキャンで検出されていればそれに置き換えられ、同系列の放送チャンネルが検出されていなければ元のデータが削除されるようになっている。また、選局番号に割り当てられた放送チャンネルについてはそのデータがリモコンキーＩＤリストから削除され、リモコンキーＩＤリストには未だ選局番号に割り当てられていない放送チャンネルのデータが残された状態となる。
【００５６】
ステップＳ１１では、未だリモコンキーＩＤリストに残っている放送チャンネルについて、例えばＪＥＩＴＡ（電子情報技術産業協会）が規定する選局番号への割り当て推奨手順に従って、空いている選局番号への放送チャンネルの割り当て処理を行う。
【００５７】
すなわち、先ず、残された放送チャンネルのリモコンキーＩＤが指し示す選局番号について空きを確認し、空いていればこの放送チャンネルをその選局番号に割り当てる。この処理をリモコンキーＩＤリストに残っている全放送チャンネルについて行う。次に、リモコンキーＩＤリストに未だ残されている放送チャンネルを、開いている選局番号に順番に割り当てていく。
【００５８】
このステップＳ１１の割り当て処理において選局番号の空きを確認するステップとして、選局割当テーブルの系列ＩＤを確認して空きを確認するようにプログラムされるされることがあるが、選局番号にＢＳ放送の放送チャンネルが割り当てられている場合には、その系列ＩＤとして架空の値（例えば「２５５」）が付加されているので、ＢＳ放送の放送チャンネルと地上デジタルの放送チャンネルとを同列に扱っても正常に処理されるようになっている。
【００５９】
そして、このステップＳ１１の処理が完了したら図３のマイスキャン処理が終了される。
【００６０】
図６には、上記のマイスキャンを実行した場合と初期スキャンを実行した場合との比較例を示す。
【００６１】
例えば、ユーザが転居してテレビ放送の受信地域が東京から大阪に変更された場合に、初期スキャンを実行すると図6の「大阪−初期スキャン実施」の列に示されるように選局番号と大阪での放送チャンネルとが対応づけられる。
【００６２】
図６の「独自（前回）の設定」の列に示されるように、ユーザが東京にいるときにマニュアル設定で放送チャンネルを割り当てていた場合、大阪での初期スキャン後には前回の割り当てと全く関連の見られない割当状態となってしまっている。さらに、前回のときにはＢＳ放送を５チャンネルに割り当てていたが、ＢＳ放送の割り当ては削除されてしまっている。
【００６３】
しかしながら、大阪でマイスキャンを実行することで、「大阪−マイスキャン実施」の列に示されるように、東京で割り当てていた放送チャンネルと同系列のものが同じ選局番号に割り当てられ、且つ、ＢＳ放送の割り当てもそのまま残され、ユーザは東京にいるとき同様の感覚でテレビ放送の選局操作を行うことが可能となる。
【００６４】
以上のように、この実施の形態のデジタル放送受信装置によれば、マイスキャン機能により、前回の割り当てと同系列の放送チャンネルが優先的に同一の選局番号に割り当てられるので、例えば引越しなどでテレビの受信地域が変更された際にユーザが受信地域の変更前と同様の感覚で選局操作が行えるようにしたい場合などに、自動でそのような要求を満たす選局番号の割り当てを行うことが出来る。地上デジタルの放送チャンネルとＢＳ放送の放送チャンネルとが混在している場合でも同様の効果が得られる。
【００６５】
また、上記のマイスキャン機能は、ユーザがマニュアル操作で放送チャンネルの割り当てを行った後、その部分は残しつつ他の空いている選局番号に他の放送チャンネルを割り当てたり、新たに開局した放送チャンネルの割り当てを追加する場合などにも用いることが出来る。
【００６６】
また、上記のマイスキャン機能は、前回の割り当てと同系列の放送チャンネルや前回割り当てられていたＢＳ放送の放送チャンネルについて優先的に割り当てを行った後は、残りの選局番号および放送チャンネルについて、ステップＳ１１の規定の処理により割り付け処理を行うようにされているので、残りの部分についてはその地域に則した一般的な放送チャンネルの割り当てを行うことが出来る。
【００６７】
さらに、以前に選局番号への割り当て処理を全く行っていない状態、或いは、割り当ての設定を全て削除した状態でマイスキャンを実行することで、全ての選局番号への放送チャンネルの割り当てを、初期スキャンと同一の規定処理により行わせることも可能である。
【００６８】
なお、本発明は、上記実施の形態に限られるものではなく、様々な変更が可能である。例えば、受信可能なテレビ放送の放送形式として地上デジタルとＢＳ放送を例示したが、地上デジタルとＣＳ（通信衛星）放送、地上デジタルとケーブルテレビなど、種々の組み合わせが可能である。また、２種類に限られず、それ以上の組み合わせとしても良い。
【００６９】
また、マイスキャン処理において、受信地域の情報を入力する処理を行っていないが、受信地域の情報を入力させてこの情報に基づきチャンネルスキャンする受信チャンネルを絞ったり、放送チャンネルを選局番号に割り当てる際に受信地域の情報に基づき優先度を付けて処理を行うようにしても良い。例えば、系列ＩＤが同じ放送チャンネルが２つ検出された場合に、受信地域情報に基づきその受信地域がメインで放送されている放送チャンネルの方を優先的に割り当てるなどである。
【００７０】
また、選局番号を用いたチャンネル操作のときに、選局割当テーブルの情報を用いて、選局動作を行うように説明したが、選局動作のための情報は別に設けておき、選局割当テーブルはマイスキャン処理のときのみに使用されるものとしても良い。
【００７１】
その他、装置の内部構成やメモリに作成される選局割当テーブルの内容など、具体的に示した細部等は発明の趣旨を逸脱しない範囲で適宜変更可能である。
【図面の簡単な説明】
【００７２】
【図１】本発明の実施の形態のデジタル放送受信装置の全体構成を示すブロック図である。
【図２】不揮発性メモリに格納され選局番号と放送チャンネルの割当関係が記憶される選局割当テーブルを示す図である。
【図３】実施の形態のデジタル放送受信装置で実行されるマイスキャン処理の手順を示すフローチャートである。
【図４】図３のマイスキャン処理で作成されるリモコンキーＩＤリストを示す図である。
【図５】図３のマイスキャン処理で作成される系列局リストを示す図である。
【図６】実施の形態のマイスキャン機能と一般的なチャンネルスキャン機能との比較を説明する図である。
【符号の説明】
【００７３】
１０    地上デジタルチューナ
１１    地上デジタル復調部
１２    ＢＳチューナ
１３    ＢＳ復調部
１４    ＴＳデコーダ
１５    ビデオデコーダ
１６    オーディオデコーダ
２０    マイクロコントローラ
２１    ＲＡＭ
２２    不揮発性メモリ
２３    操作パネル
２３ａ  受光部
２４    リモコン
【図１】
2006197313.tif 000004
【図２】
2006197313.tif 000005
【図３】
2006197313.tif 000006
【図４】
2006197313.tif 000007
【図５】
2006197313.tif 000008
【図６】
2006197313.tif 000009